(57)【要約】      （修正有）【課題】余ったコードが使用者の邪魔になるのを防止し、コードの絡みによる不便さを軽減するコード巻取りホルダーを提供する。【解決手段】コードを巻取る巻取り部３と、巻取り上蓋部１で形成され、巻取りホルダーを携帯音響機器もしくはケース／カバーに取り付ける構造を主要な特徴とする。コードを巻取る巻取り部３と、巻取り後の余ったコードを掛け止める溝穴を備えた上蓋部１が一体で構成されている。コードを巻取る巻取り部３の底面５は、両面テープを貼りホルダー本体を携帯音響機器もしくはケース／カバーに取り付けできるように平面となっている。上蓋部１の外側周辺部は、携帯音響機器を衣服のポケットや鞄等へ収納した場合、出し入れに支障をきたさないように内側に丸みをもたせた形状となっている。上蓋部１とコードを巻取る巻取り部３の形状は携帯音響機器の形状に合せて変更が可能である。【選択図】図１
0003189927.tif 000002
【実用新案登録請求の範囲】
【請求項１】
コードを巻取る巻取り部と巻取り後のコードの外れを防止する溝穴を備えた上蓋部で形成され、巻取り部の底面により巻取りホルダーを携帯音響機器もしくはケース／カバーに取り付ける特徴を持った巻取りホルダー。
【請求項２】
コード巻取り部と上蓋部は巻取りホルダーとして一体構造となっているが、それぞれ部品として作製して一体にしてもよい構成としている。
【請求項３】
コード巻取り部は、イヤホン、ヘッドホンの種類、コード太さ、コードの長さにより巻き取る回数に対応できる形状としている。
【請求項４】
巻取りホルダーの上蓋部には、コード掛止用の溝穴を設け、イヤホン、ヘッドホンのコードの巻取り後にコードを掛止めし巻取り後のコードの外れを防止する構造としている。
【請求項５】
巻取りホルダーの上蓋部は、ホルダーを衣服のポケットや鞄等の収納時に他の収納物の邪魔にならず、スムーズに出し入れできるように外側周辺部を内側に湾曲し丸みを持たせた形状としている。
【考案の詳細な説明】
【技術分野】
【０００１】本考案は、コード巻取りホルダー本体を音楽再生機能付携帯電話端末及び同類形状の音響専用機器（以下携帯音響機器と呼ぶ）もしくはケース／カバーに取り付け、イヤホン、ヘッドホンなどのコードを巻取ることができる、巻取りホルダーに関するものである。コードの巻取り後の余ったコードはホルダーの上蓋の溝穴に掛止めることにより、巻取ったコードが巻取り部から外れないようにしており、音楽視聴時にイヤホン、ヘッドホンが耳穴から脱落することを防止している。コード巻取りの長さは使用者本人が容易に行え、携帯音響機器の操作時はコードの長さを気にせずに携帯音響機器の操作が行え、音楽等の視聴時に携帯音響機器と一緒に衣服のポケットや鞄に収納可能なコード巻取りホルダーである。
【背景技術】
【０００２】携帯音響機器は、ヘッドホンあるいはイヤホンのコードを携帯音響機器に接続して音楽等を再生して視聴される。【０００３】携帯音響機器を使用する使用者は、携帯音響機器を使用している時コードの長さが長すぎると使用者本人者の動きによりコードが動きヘッドホンやイヤホンが使用者の耳穴から脱落することや、他人との接触などにより耳穴から脱落する場合があるため、使用者はコードをそのまま丸めたり、コードを携帯音響機器本体に巻きつけたり、あるいはコード巻取りホルダーにコードを巻き耳穴からの脱落を防止している。【０００４】携帯音響機器の使用後は、コードを携帯音響機器本体に巻付けたまま衣服のポケットや鞄の中などに入れて収納するが、コードの存在を気にせずに収納するとコードが絡まって次に使用する際にコードの絡まりを解くのに非常に手間がかかる場合がある。また、鞄の中などに収納するとコードが乱れて他の物品の出し入れに支障をきたす。【０００５】コードの絡まりを解決するために、例えば携帯音響機器側で、機器内部にコードを巻取って収納する機構を備えたものもあるが、機器構造の複雑化や重量の増加が発生する。また、巻取り部が壊れた場合は携帯音響機器本体の修理が必要となるなど、単純、小型軽量化が求められる携帯音響機器では不向きである。【０００６】一方、携帯音響機器とは分離したコード巻取りホルダーが提案されている。ホルダーの種類は、巻取りだけのものやクリップ機構を備え衣服のポケットに巻取りホルダーを止める機能を持つホルダーもある。いずれも、コードの途中にホルダーが存在しコード線上に１つの部品を取り付けた状態となり、携帯音響機器を衣服のポケットや鞄に収納する時に、コードに加えて巻取りホルダーの存在が邪魔になる。また、携帯音響機器を次ぎに使用する時、巻取りホルダーが他の収納物に引っかかり邪魔な存在となる。また、巻取りホルダーの存在は他の収納物の出し入れに支障をきたす。このように、携帯音響機器と巻取りホルダーが分離していると使用者にとって好ましくない問題がある。
【先行技術文献】
【特許文献】
【０００７】
【特許文献１】特開２００２−５８０８９号公報
【特許文献２】特開２０１１−８２９３３号公報
【考案の概要】
【考案が解決しようとする課題】
【０００８】本考案は、以上説明してきた従来型のコード巻取りホルダーの問題点を解消し、コード巻取り機能と巻取り後の余ったコードの固定機能を備え、音楽など視聴時の携帯音響機器の操作性の向上および携帯音響機器を使い終わった時の収納と再使用するときの携帯音響機器の取り出しをスムーズにするもので、鞄などに収納した場合ほかの収納物の出し入れに支障をきたさないことを目的とする。
【課題を解決するための手段】
【０００９】本考案は、コード巻取りホルダーにおいて、コードを巻取る巻取り部と、巻取り後のコードを固定する上蓋部で形成され、コード巻取り部を携帯音響機器もしくはケース／カバーに取り付ける構造を主要な特徴とする。コード巻取りホルダーを携帯音響機器もしくはケース／カバーに固定することにより、携帯音響機器と巻取りホルダーが一体となり、長いコードと巻取りホルダーの存在を意識せず音楽などを楽しむことが可能となる。併せて、携帯音響機器の使用が終わって衣服のポケットや鞄に収納する際も巻取りホルダーが邪魔な存在とならない。また、携帯音響機器を再使用する際はコードの絡まりがなくスムーズに使用ができる。鞄の中でのコードの乱れもなく、ほかの収納物の出し入れにも支障をきたさないことを目的とする。
【考案の効果】
【００１０】本考案により、主にヘッドホンやイヤホンなどに使用されるコード巻取りホルダーにおいて、巻取り後のコードが固定され、加えて巻取りホルダーを携帯音響機器もしくはケース／カバーに取り付ける構造により携帯音響機器と巻取りホルダーの一体化が実現、携帯音響機器の使用時、携帯音響機器と巻取りホルダーを衣服のポケットや鞄の中にスムーズに収納ができ、コードの長さを気にせず音楽視聴を楽しむことができる。携帯音響機器の使用後、携帯音響機器とヘッドホンやイヤホンなどを衣服のポケットや鞄に収納する場合、巻取りホルダーの存在を意識せず収納でき、鞄の中でのコードの乱れもなくほかの収納物の出し入れも支障をきたさず行うことができる。
【図面の簡単な説明】
【００１１】
【図１】本考案にかかるコード巻取りホルダーの実施例を示す斜視図である。
【図２】上記実施例の正面図である。コード巻取り部と上蓋の形状を表しており、上蓋部にはコード巻取り後にコードの外れを防止するためのコードを掛止めする溝穴がある。また、携帯音響機器と巻取りホルダーを衣服のポケットや鞄等へ収納する場合、巻取りホルダーが邪魔にならないように外側周辺部を内側に湾曲してある事を表す図である。
【図３】上記実施例の上面図である
【図４】上記実施例の底面図である
【図５】本考案のコード巻取りホルダーを携帯音響機器に取り付けた例図である。
【考案を実施するための形態】
【００１２】以下、本考案にかかるコード巻取りホルダーの実施例を、図１乃至図５を参照しながら説明する。なお、以下に説明する実施例は、好ましい一例を示すものであって、例えば、この実施例にかかるコード巻取り部上蓋部形状に限定されるものではない。
【００１３】図１において、コード巻取りホルダーは、コードを巻取る部分である巻取り部３と巻取り後の余ったコードを掛止めする上蓋部１により構成される。上蓋部は図１の４に示すように、コードを掛止めする溝とコードを固定する穴を持った形状をしている。巻取り部と上蓋部は一体成形されているが、それぞれ別部品として製作し、これらを一体に結合することによって構成してもよい。
【００１４】図１の３に示すように、巻取り部３の立体形状は、円柱状をしており、高さはヘッドホン、イヤホンのコード幅とほぼ同一となっている。上蓋部１は円形をしており、中心部を含む多くの部分は平であるが、図２の２に示すように外側周辺部のみ内側に湾曲した形状をしている。内側に丸みを帯びた湾曲形状とすることにより、携帯音響機の操作時に巻取りホルダーの存在が違和感ないようにしている。
【００１５】図２の２に示すように、上蓋部外側周辺部の内側に湾曲した形状により、携帯音響機使用時に携帯音響機器と巻取りホルダーを衣服のポケットや鞄等へ収納する場合、巻取りホルダーが邪魔にならず収納することが可能となる。また、取り出し時もほかの収納物とぶつからずに取り出せる。
【００１６】図２の１に示すように、上蓋部は外側周辺部以外は平な形状であり携帯音響機の未使用時に机等に置いた場合に不安定な状態とならないようにしている。
【００１７】図２の５に示すように、巻取り部底辺は平面となっている。この巻取り部の底辺に、両面テープもしくは接着剤を付けて携帯音響機器もしくはケース／カバーに本考案巻取りホルダーを取り付ける。本巻取りホルダーを取り付ける位置は、携帯音響機器の使用者が自由に決めて取り付けできる。取り付けは、市販の両面テープで可能で、取り付けた後の取り付け位置の変更が容易である。
【実施例】
【００１８】図５は、携帯音響機器の本巻取りホルダーの取り付け状態を示す例図である。
【産業上の利用可能性】
【００１９】本考案にかかるコード巻取りホルダーは、ヘッドホンやイヤホンのコードを巻き取るために主に使用されるが、用途が特に限定されるものではなく、それ以外の製品に備えられるコードにも利用することができる。
【符号の説明】
【００２０】１・・・上蓋部
２・・・上蓋部外側周辺部
３・・・コード巻取り部
４・・・コード掛止め部
５・・・携帯音響機器への取付け例図
【図１】
0003189927.tif 000003
【図２】
0003189927.tif 000004
【図３】
0003189927.tif 000005
【図４】
0003189927.tif 000006
【図５】
0003189927.tif 000007
【手続補正書】
【提出日】平成26年1月18日(2014.1.18)
【手続補正１】
【補正対象書類名】実用新案登録請求の範囲
【補正対象項目名】全文
【補正方法】変更
【補正の内容】
【実用新案登録請求の範囲】
【請求項１】
コードを巻取る巻取り部と巻取り後の余ったコードを掛け止める溝穴を備えた上蓋部で形成され、巻取り部の平坦底面に両面テープを貼り、巻取りホルダーを携帯音響機器もしくはケース／カバーに取り付ける特徴を持った巻取りホルダー。
【請求項２】
コード巻取り部と上蓋部は巻取りホルダーとして一体構造となっているが、それぞれ部品として作製して一体にしてもよい構造を特徴とする請求項１に記載の巻取りホルダー。
【請求項３】
コード巻取り部は、底面が平坦な構造を特徴とする請求項１に記載の巻取りホルダー。
【請求項４】
巻取りホルダーの上蓋部には、コード掛止用の溝穴を設け、イヤホン、ヘッドホンのコードの巻取り後にコードを掛止めし巻取り後のコードの外れを防止する構造を特徴とする請求項１に記載の巻取りホルダー。
【請求項５】
巻取りホルダーの上蓋部は、巻取りホルダーを衣服のポケットや鞄等の収納時に他の収納物の邪魔にならず、スムーズに出し入れできるように外側周辺部を内側に湾曲し丸みを持たせた形状を特徴とする請求項１に記載の巻取りホルダー。